(57)【要約】【課題】サーチ対象であるチャネルに放送信号が含まれているかどうかチェックするチャネルサーチ処理を行うに際しての、該処理に要する時間の短縮を図る。【解決手段】第１選局回路５で選局されたチャネルについて、放送信号が含まれているかどうか判定する根拠になる情報が、第１チャネル有／無情報生成回路２５から制御バス２１を通じてCPU１９に送信される。CPU１９では、第１チャネル有／無情報生成回路２５からの上記情報と、第１選局回路５における選局状態とが照合されることにより、第１選局回路５において現在選局中のチャネルにおける放送信号の有／無が判定され、該判定結果が上述したチャネルリストに記録される。第２選局回路９側でも同様の処理動作が行われる。【選択図】図１
2009021689.tif 000002
【特許請求の範囲】
【請求項１】
受信可能な複数のチャネルのディジタル放送信号のうちから所望のチャネルのディジタル放送信号を選局する選局部と、該選局部により選局されたチャネルに含まれるディジタル放送信号を復調する復調部と、を含むディジタル放送信号の受信系統、を複数備え、
前記各々の受信系統が、
前記選局部により選局されたチャネル中に、前記復調部により復調されるべきディジタル放送信号が含まれているかどうかサーチするためのチャネルサーチ部、
を有するディジタル放送受信装置。
【請求項２】
請求項１記載のディジタル放送受信装置において、
前記各々の受信系統が、前記復調部からの出力を受けて、前記選局部に入力されるディジタル放送信号の強弱を判断し、該判断結果に応じて前記選局部の利得を制御する自動利得制御部、
を更に有するディジタル放送受信装置。
【請求項３】
請求項１記載のディジタル放送受信装置において、
前記チャネルサーチ部が、
前記各々の受信系統毎に設けられた、該受信系統に含まれる選局部が選局したチャネルに、ディジタル放送信号が含まれているかどうかの判断の基になる情報を生成して出力する情報生成・出力部と、
該情報生成・出力部からの前記情報を基に、前記選局部が選局したチャネルにディジタル放送信号が含まれているかどうか判断する演算処理部と、
を含むディジタル放送受信装置。
【請求項４】
請求項３記載のディジタル放送受信装置において、
前記情報生成・出力部が、前記復調部による前記ディジタル放送信号の復調動作が成立したかどうかチェックし、該チェック結果を基に前記情報を生成するようにしたディジタル放送受信装置。
【請求項５】
請求項３記載のディジタル放送受信装置において、
前記情報生成・出力部が、前記ディジタル放送信号に含まれるTMCC信号が予め決められた期間内に同期が取れたかどうかチェックし、該チェック結果を基に前記情報を生成するようにしたディジタル放送受信装置。
【請求項６】
請求項３記載のディジタル放送受信装置において、
前記情報生成・出力部が、前記自動利得制御部からの出力電力が基準値を超えているかどうかチェックし、該チェック結果を基に前記情報を生成するようにしたディジタル放送受信装置。
【請求項７】
請求項３記載のディジタル放送受信装置において、
前記各々の選局部が、前記演算処理部からの選局指令を基に選局動作を行い、前記選局指令が、前記選局部と前記演算処理部とを接続する制御バスを通じて前記演算処理部から前記選局部に出力され、前記制御バスには、前記演算処理部からのオン／オフ指令を基にオン／オフ動作するスイッチング部が接続されているディジタル放送受信装置。
【請求項８】
請求項７記載のディジタル放送受信装置において、
前記復調部が前記スイッチング部を兼ねており、前記復調部は、前記選局部が選局動作を行うときにのみオン動作して、前記制御バスを通じて前記選局部と前記演算処理部との間を接続するようにしたディジタル放送受信装置。
【請求項９】
請求項１記載のディジタル放送受信装置において、
前記複数の受信系統の各々から出力される信号同士に、ダイバーシティ合成処理を施して出力するダイバーシティ合成部、
を更に備えるディジタル放送受信装置。
【請求項１０】
請求項９記載のディジタル放送受信装置において、
前記ダイバーシティ合成処理が、前記複数の受信系統の各々から出力される信号同士に施される最大比合成処理を含むディジタル放送受信装置。
【請求項１１】
請求項９記載のディジタル放送受信装置において、
前記受信系統が４系統備えられ、
前記４つの受信系統が２組の対をなすように分けられており、
前記チャネルサーチ部、及び前記ダイバーシティ合成部が、前記各組別に設けられており、
対になる受信系統同士の間では、同一チャネルのディジタル放送信号を受信すると共に、前記各ダイバーシティ合成部により夫々ダイバーシティ合成処理が施され、
前記各チャネルサーチ部が、前記各ダイバーシティ合成部からの出力について、前記サーチ動作を行うようにしたディジタル放送受信装置。
【発明の詳細な説明】
【技術分野】
【０００１】
本発明は、選局部と復調部とを含むディジタル放送信号の受信系統を複数備えた構成のディジタル放送受信装置に関する。
【背景技術】
【０００２】
地上ディジタル放送は、ディジタル変調方式にOFDM（Orthogonal Frequency Division Multiplexing）変調方式が採用されており、移動体受信に優れた放送システムである。地上ディジタル放送には、チャネル帯域の一部分のみを用いて伝送される１セグメント放送と称される、携帯電話機端末や車載用の受信装置等の移動体受信装置向け放送もある。
【０００３】
従来、ディジタル放送受信装置において、ディジタル放送のサービスエリアが該受信装置の移動に伴い逐次変化していく場合でも、常に最新の番組情報が取得でき、該受信装置の現在位置において受信可能な全ての番組情報を常にユーザに提供できるようにすることを目的とした提案がなされている。
【０００４】
該提案に係るディジタル放送受信装置では、複数の受信／復調部が、通常の受信時には、ダイバーシティによる受信、及び復調を行って、第１のディジタルデータストリームを出力する。サーチ時には、複数のアンテナ、及び複数の受信／復調部が２つのグループに分割され、一方のグループのアンテナ、及び受信／復調部は、第１のディジタルデータストリームの受信及び出力を継続する。他方のグループのアンテナ、及び受信／復調部は、他のチャネルについて受信、及び復調を行い、番組情報が記述されたシステム情報を取得し、取得したシステム情報から、上記受信装置が現在受信可能な放送の番組情報リストを作成する（例えば特許文献１参照）。
【０００５】
【特許文献１】特開2005-184548号公報
【発明の開示】
【発明が解決しようとする課題】
【０００６】
ところで、地上ディジタル放送は、全国に同一の番組情報を提供することが可能なBSディジタル放送と異なり夫々の地域に存在する多数の放送局が該地域において独自に番組を放送する放送システムであり、また、同一の放送局が提供する同一内容の番組であっても、地域によって異なるチャネルで伝送されている場合がある。そのため、ディジタル放送受信装置は、選局したチャネルに放送信号が含まれているかどうかをチェックするチャネルサーチ処理を行うことにより、該受信装置が存在する地域においてどのチャネルで放送が行われているのかを把握する必要がある。
【０００７】
地上ディジタル放送は、UHF帯における、中心周波数が473+1/7MHzのUHF１３チャネルから、中心周波数が767+1/7MHzのUHF６２チャネルまでの間の周波数帯域を利用して行われている。上記周波数帯域には、全部で５０個のチャネルが設定されており、各々のチャネルの周波数帯域幅は6MHzになっている。上記各々のチャネルの何れかを利用して、各々の地域毎に地上ディジタル放送が行われている。そのため、ユーザがディジタル放送受信装置により地上ディジタル放送を視聴しようとする場合には、最初に視聴する前にチャネルサーチ処理を行い、どのチャネルで放送が行われているかを知る必要がある。
【０００８】
携帯電話機端末や、車載用の受信装置等の移動体受信装置（移動体向けのディジタル放送受信装置）は、家庭用の（固定型の）ディジタル放送受信装置と異なり、視聴の都度受信地域が変わっていることが想到され得る。そのため、家庭用の（固定型の）ディジタル放送受信装置と比較して高い頻度でチャネルサーチ処理を行うことになる。しかし、チャネル数が５０にも及ぶ全てのチャネルについて放送信号の有無をチェックしなければならないから、仮に、放送信号の有無を判定するのに要する時間を１チャネルにつき平均１秒とすると、全チャネルについてチャネルサーチ処理を行うのに５０秒もの時間を要することになってしまう。
【０００９】
しかも、上記受信装置においてチャネルサーチ処理を行うには、選局回路と復調回路とがチャネルサーチ処理のために使用されるので、ディジタル放送受信装置の本来の機能である放送信号に含まれる画像情報、及び音声情報の出力動作が、上記チャネルサーチ処理のために妨害されることになる。上述した特許文献１に開示のディジタル放送受信装置においても、ダイバーシティ合成処理の動作のため、複数の受信／復調部の一部分を上記チャネルサーチ処理に使用するので、やはりチャネルサーチ処理を行っている間は、上記画像情報、及び音声情報の出力機能が妨害されることになる。そのため、チャネルサーチ処理に要する時間の短縮化が望まれていた。
【００１０】
従って本発明の目的は、ディジタル放送受信装置において、サーチ対象であるチャネルに放送信号が含まれているかどうかチェックするチャネルサーチ処理を行うに際しての、該処理に要する時間の短縮を図ることができるようにすることにある。
【課題を解決するための手段】
【００１１】
本発明に従うディジタル放送受信装置は、受信可能な複数のチャネルのディジタル放送信号のうちから所望のチャネルのディジタル放送信号を選局する選局部と、その選局部により選局されたチャネルに含まれるディジタル放送信号を復調する復調部と、を含むディジタル放送信号の受信系統、を複数備え、上記各々の受信系統が、上記選局部により選局されたチャネル中に、上記復調部により復調されるべきディジタル放送信号が含まれているかどうかサーチするためのチャネルサーチ部、を有する。
【００１２】
本発明に係る好適な実施形態では、上記各々の受信系統が、上記復調部からの出力を受けて、上記選局部に入力されるディジタル放送信号の強弱を判断し、その判断結果に応じて上記選局部の利得を制御する自動利得制御部、を更に有する。
【００１３】
上記とは別の実施形態では、上記チャネルサーチ部が、上記各々の受信系統毎に設けられた、その受信系統に含まれる選局部が選局したチャネルに、ディジタル放送信号が含まれているかどうかの判断の基になる情報を生成して出力する情報生成・出力部と、その情報生成・出力部からの上記情報を基に、上記選局部が選局したチャネルにディジタル放送信号が含まれているかどうか判断する演算処理部と、を含む。
【００１４】
また、上記とは別の実施形態では、上記情報生成・出力部が、上記復調部による上記ディジタル放送信号の復調動作が成立したかどうかチェックし、そのチェック結果を基に上記情報を生成するようにしている。
【００１５】
また、上記とは別の実施形態では、上記情報生成・出力部が、上記ディジタル放送信号に含まれるTMCC信号が予め決められた期間内に同期が取れたかどうかチェックし、そのチェック結果を基に上記情報を生成するようにしている。
【００１６】
また、上記とは別の実施形態では、上記情報生成・出力部が、上記自動利得制御部からの出力電力が基準値を超えているかどうかチェックし、そのチェック結果を基に上記情報を生成するようにしている。
【００１７】
また、上記とは別の実施形態では、上記各々の選局部が、上記演算処理部からの選局指令を基に選局動作を行い、上記選局指令が、上記選局部と上記演算処理部とを接続する制御バスを通じて上記演算処理部から上記選局部に出力され、上記制御バスには、上記演算処理部からのオン／オフ指令を基にオン／オフ動作するスイッチング部が接続されている。
【００１８】
また、上記とは別の実施形態では、上記復調部が前記スイッチング部を兼ねており、上記復調部は、上記選局部が選局動作を行うときにのみオン動作して、上記制御バスを通じて上記選局部と上記演算処理部との間を接続するようにしている。
【００１９】
また、上記とは別の実施形態では、上記複数の受信系統の各々から出力される信号同士に、ダイバーシティ合成処理を施して出力するダイバーシティ合成部、を更に備える。
【００２０】
また、上記とは別の実施形態では、上記ダイバーシティ合成処理が、上記複数の受信系統の各々から出力される信号同士に施される最大比合成処理を含む。
【００２１】
更に、上記とは別の実施形態では、上記受信系統が４系統備えられ、上記４つの受信系統が２組の対をなすように分けられており、上記チャネルサーチ部、及び上記ダイバーシティ合成部が、上記各組別に設けられており、対になる受信系統同士の間では、同一チャネルのディジタル放送信号を受信すると共に、上記各ダイバーシティ合成部により夫々ダイバーシティ合成処理が施され、上記各チャネルサーチ部が、上記各ダイバーシティ合成部からの出力について、上記サーチ動作を行うようにしている。
【発明の効果】
【００２２】
本発明によれば、ディジタル放送受信装置において、サーチ対象であるチャネルに放送信号が含まれているかどうかチェックするチャネルサーチ処理を行うに際しての、該処理に要する時間の短縮を図ることができるようになる。
【発明を実施するための最良の形態】
【００２３】
以下、本発明の実施の形態を、図面により詳細に説明する。
【００２４】
図１は、本発明の一実施形態に係るディジタル放送受信装置の全体構成を示す機能ブロック図である。
【００２５】
図１に示すように、ディジタル放送受信装置１００は、第１高周波信号入力端子１と、第２高周波信号入力端子３と、第１選局回路５と、第１復調回路７と、第２選局回路９と、第２復調回路１１と、ダイバーシティ合成回路１３と、信号処理回路１５と、映像・音声信号処理回路１７と、CPU１９と、を備える。
【００２６】
第１高周波信号入力端子１、及び第２高周波信号入力端子３は、共に該ディジタル放送受信装置１００の筐体（ハウジング）に取付固定されており、第１高周波信号入力端子１には、第１アンテナ（図示しない）が、第２高周波信号入力端子３には、第２アンテナ（図示しない）が、夫々接続されている。第１高周波信号入力端子１には、第１選局回路５、及び第１復調回路７等で構成される第１の受信系統が、また、第２高周波信号入力端子３には、第２選局回路９、及び第２復調回路１１等で構成される第２の受信系統が、夫々接続されている。
【００２７】
第１の受信系統は、第１復調回路７を通じて、また、第２の受信系統は、第２復調回路１１を通じて、夫々ダイバーシティ合成回路１３に接続されている。ダイバーシティ合成回路１３は、信号処理回路１５、及び映像・音声信号処理回路１７と共に、第１、第２の受信系統から夫々出力される信号に対し、所定の信号処理を施す信号処理系統を構成している。
【００２８】
第１選局回路５は、制御バス２１を通じてCPU１９に接続されているが、該制御バス２１上には、第１選局回路５とCPU１９との間をオン／オフするスイッチング回路としての機能をも有する第１復調回路７が介在している。第２選局回路９も、第１選局回路５と同様、制御バス２３を通じてCPU１９に接続されているが、該制御バス２３上には、第２選局回路９とCPU１９との間をオン／オフするスイッチング回路としての機能をも有する第２復調回路１１が介在している。
【００２９】
第１復調回路７を制御バス２１上で、第１選局回路５とCPU１９との間をオン／オフするスイッチング回路として機能させ、また、第２復調回路１１を制御バス２３上で、第２選局回路９とCPU１９との間をオン／オフするスイッチング回路として機能させることとしたのは、第１選局回路５、及び第２選局回路９の何れにも、高周波回路（図示しない）が含まれているためである。即ち、第１選局回路５とCPU１９との間を制御バス２１で、第２選局回路９とCPU１９との間を制御バス２３で、夫々直結すると、制御バス２１に起因するノイズにより第１選局回路５の高周波回路が、制御バス２３に起因するノイズにより第２選局回路９の高周波回路が、夫々影響を受ける虞がある。そこで、第１選局回路５による選局動作を行う場合にのみ、第１復調回路７をオン動作させて第１選局回路５とCPU１９との間を接続し、第２選局回路９による選局動作を行う場合にのみ、第２復調回路１１をオン動作させて第２選局回路９とCPU１９との間を接続するようにした。
【００３０】
第１高周波信号入力端子１は、第１アンテナ（図示しない）が受信した複数のチャネルの放送波を、第１選局回路５に、また、第２高周波信号入力端子３は、第２アンテナ（図示しない）が受信した複数のチャネルの放送波を、第２選局回路９に、夫々出力する。ここで、ディジタル放送システムでは、周波数分割された複数のチャネルがあり、ディジタル放送受信装置（１００）に接続される（受信）アンテナは、通常、全てのチャネルの放送波を受信する。日本における地上ディジタル放送は、UHF帯の４７０MHzから７７０MHzの周波数帯域の放送波が用いられる。１つのチャネルは、６MHzの周波数帯域を有するので、合計で５０本のチャネルが存在することになる。
【００３１】
第１の受信系統において、第１選局回路５は、CPU１９の制御下で、ディジタル放送受信装置１００への駆動電源投入時における初期化設定や、動作の安定化等が図られている状態で、所定の信号処理動作を実行する。即ち、第１選局回路５は、第１高周波信号入力端子１を通じて第１アンテナ（図示しない）から供給される複数のチャネルの放送波を入力する。そして、制御バス２１を通じてCPU１９から出力される制御信号（選局指令信号）に基づき、ユーザが視聴を所望するチャネルの周波数と同調をとることにより、上記複数のチャネルの放送波の中から、ユーザが視聴を所望するチャネルの放送波のみを選択する。これと共に、第１選局回路５は、該選択したチャネルの放送波の周波数を、後段の第１復調回路７による信号処理（復調）動作に適した周波数に変換する。第１選局回路５には、フィルタ（図示しない）が内蔵されている。
【００３２】
このフィルタ（図示しない）は、第１選局回路５による上記選局動作において、ユーザが視聴を所望するチャネル以外のチャネルの放送波であって、テレビ視聴の障害になる可能性があるチャネルの放送波を、上記周波数変換動作に略同期させて除去する。上記選局動作、及び上記フィルタリング動作を経た後の上記チャネルの放送波は、第１選局回路５から第１復調回路７に出力される。
【００３３】
第１復調回路７も、CPU１９の制御下で、ディジタル放送受信装置１００への駆動電源投入時における初期化設定や、動作の安定化等が図られている状態で、所定の信号処理動作を実行する。即ち、第１復調回路７は、制御バス２１を通じてCPU１９から出力される制御信号に基づき、第１選局回路５が上述した選局動作を行うに際し、制御バス２１を閉じるべくオン動作する。これにより、CPU１９からの選局指令信号が、制御バス２１、及び第１復調回路７を通じて第１選局回路５に出力される。
【００３４】
第１復調回路７は、また、CPU１９の制御下で、第１選局回路５から出力される上記チャネルの放送波を入力し、該チャネルの放送波からディジタル放送信号を取り出すディジタル復調を行う。第１復調回路７には、第１チャネル有／無情報生成回路２５が内蔵されている。この第１チャネル有／無情報生成回路２５については、後に詳述する。
【００３５】
上述した第１の受信系統には、上記第１選局回路５、及び上記第１復調回路７に加えて、更に、AGC（Automatic Gain Control）回路（図示しない）が備えられている。AGC回路（図示しない）は、第１復調回路７からの出力を受け、該出力を利用して上記ディジタル放送受信装置１００に入力された放送電波の強弱を判断し、該判断結果に応じて第１選局回路５の利得を制御する。
【００３６】
第２の受信系統も、上述した第１の受信系統と略同様である。即ち、第２の受信系統において、第２選局回路９は、CPU１９の制御下で、ディジタル放送受信装置１００への駆動電源投入時における初期化設定や、動作の安定化等が図られている状態で、所定の信号処理動作を実行する。即ち、第２選局回路９は、第２高周波信号入力端子３を通じて第２アンテナ（図示しない）から供給される複数のチャネルの放送波を入力する。そして、制御バス２３を通じてCPU１９から出力される制御信号に基づき、ユーザが視聴を所望するチャネルの周波数と同調をとることにより、上記複数のチャネルの放送波の中から、ユーザが視聴を所望するチャネルの放送波のみを選択する。これと共に、第２選局回路９は、該選択したチャネルの放送波の周波数を、後段の第２復調回路１１による信号処理（復調）動作に適した周波数に変換する。第２選局回路９には、フィルタ（図示しない）が内蔵されている。
【００３７】
このフィルタ（図示しない）は、第２選局回路９による上記選局動作において、ユーザが視聴を所望するチャネル以外のチャネルの放送波であって、テレビ視聴の障害になる可能性があるチャネルの放送波を、上記周波数変換動作に略同期させて除去する。上記選局動作、及び上記フィルタリング動作を経た後の上記チャネルの放送波は、第２選局回路９から第２復調回路１１に出力される。
【００３８】
第２復調回路１１も、CPU１９の制御下で、ディジタル放送受信装置１００への駆動電源投入時における初期化設定や、動作の安定化等が図られている状態で、所定の信号処理動作を実行する。即ち、第２復調回路１１は、制御バス２３を通じてCPU１９から出力される制御信号に基づき、第２選局回路９が上述した選局動作を行うに際し、制御バス２３を閉じるべくオン動作する。これにより、CPU１９からの選局指令信号が、制御バス２３、及び第２復調回路１１を通じて第２選局回路９に出力される。
【００３９】
第２復調回路１１は、また、CPU１９の制御下で、第２選局回路９から出力される上記チャネルの放送波を入力し、該チャネルの放送波からディジタル放送信号を取り出すディジタル復調を行う。第２復調回路１１には、第２チャネル有／無情報生成回路２７が内蔵されている。この第２チャネル有／無情報生成回路２７については、後に詳述する。
【００４０】
上述した第２の受信系統にも、上記第１の受信系統におけると同様に、上記第２選局回路９、及び上記第２復調回路１１に加えて、更に、AGC回路（図示しない）が備えられている。AGC回路（図示しない）は、第２復調回路１１からの出力を受け、該出力を利用して上記ディジタル放送受信装置１００に入力された放送電波の強弱を判断し、該判断結果に応じて第２選局回路９の利得を制御する。
【００４１】
ところで、ディジタル放送受信装置（１００）が（受信）アンテナ（第１、第２アンテナ）を通じて受信するディジタル放送の放送電波は、（受信）アンテナの位置や、（受信）アンテナ等が置かれている周辺の環境や、放送局から（受信）アンテナまでの距離等の諸条件により、受信電力が大きく異なるのが一般的である。そこで、ディジタル放送受信装置（１００）による上記放送電波の受信動作を安定させるためには、選局回路（チューナ）から復調回路に出力される信号電力を、一定に保持する必要がある。
【００４２】
そのため、上記第１の受信系統に、AGC回路（図示しない）を設けることにより、第１アンテナ（図示しない）から第１選局回路５に入力される放送波（放送信号）の電力（即ち、受信電力）が変動しても、第１復調回路７に入力される信号電力が一定値になるように自動利得制御（AGC）が行われる。また、上記第２の受信系統についても、AGC回路（図示しない）を設けることにより、第２アンテナ（図示しない）から第２選局回路９に入力される放送波（放送信号）の電力（受信電力）が変動しても、第２復調回路１１に入力される信号電力が一定値になるように自動利得制御（AGC）が行われる。
【００４３】
ダイバーシティ合成回路１３が行う信号処理とは、例えばフェージングの影響を軽減するため、電界強度、又はSN比の異なる複数の受信信号を合成し、或いは切り替えて単一の信号出力を得るためのものである。ダイバーシティ合成回路１３は、上記第１の受信系統を構成する第１復調回路７から出力される、ディジタル復調された後の信号、及び上記第２の受信系統を構成する第２復調回路１１から出力される、ディジタル復調された後の信号を、夫々入力する。ダイバーシティ合成回路１３は、上記双方の受信系統からの信号同士に、例えば、最大比合成等の処理を施すと共に、該処理を施した後の信号に対し、誤り訂正等の処理をも施す。そして、該誤り訂正等の処理が施された後の信号は、多重化されたトランスポートストリーム信号として、ダイバーシティ合成回路１３から信号処理回路１５に出力される。ここで、トランスポートストリーム信号とは、ディジタルデータの一種である。
【００４４】
ところで、アナログ放送においては、アナログ放送受信装置が受信した放送信号の品質が劣化するにつれて、映像信号や音声信号が徐々に劣化していく。これに対し、ディジタル放送においては、ディジタル放送受信装置が受信すべき放送信号の品質が劣化したとしても、該品質が一定値以上であれば、ユーザは信号品質の劣化の影響を受けることが無い映像、及び音声、即ち、ノイズの無い映像、及び音声を、ディジタル放送受信装置を介して視聴することが可能である。しかし、ディジタル放送の場合、信号品質が、一定値未満にまで劣化すると、該時点で、映像信号、音声信号がディジタル放送受信装置のモニタ、スピーカから出力されなくなるので、ユーザはディジタル放送受信装置による映像、及び音声の視聴ができなくなる。
【００４５】
選局回路や復調回路等を含む受信系統を１系統備えるだけの構成のディジタル放送受信装置でも、該装置が固定型の受信装置であれば、該受信装置がディジタル放送信号を受信して映像、音声を出力する信号処理を行うのに特に支障は生じない。しかし、上記受信装置が固定型の受信装置ではなく、例えば、自動車等に搭載された移動型の受信装置（ディジタル放送受信装置）のように、移動しながらディジタル放送信号を受信する受信装置である場合には、既述のような理由により、該受信装置が受信するディジタル放送信号の品質は安定しない。そのため、該受信装置からの映像、音声の出力が途切れてしまうという不具合が生じる虞がある。
【００４６】
そこで、このような不具合の発生を防止するため、ダイバーシティ合成回路１３において、第１の受信系統から出力される信号と、第２の受信系統から出力される信号（第１の受信系統から出力される信号と同一チャネル）とに、上述した最大比合成処理を施し、それにより、該処理が施される前の上記各信号の品質よりも、該処理が施された後の信号の品質を向上させることとした。ダイバーシティ合成回路１３により第１の受信系統から出力される信号と、第２の受信系統から出力される信号とに、最大比合成処理を施し、該処理後の信号を信号処理回路１５に出力することにより、１系統しかない受信系統から出力される信号を信号処理回路（１３）に出力する場合よりも、ディジタル放送信号の受信特性の向上を図ることが可能になる。
【００４７】
信号処理回路１５は、ダイバーシティ合成回路１３から出力される多重化されたトランスポートストリーム信号を入力する。そして、該多重化されたトランスポートストリーム信号に対し、多重化されたストリームを解く処理、及び該多重化されたストリームを解く処理を経た後に、ディジタル圧縮された映像信号に対する伸張処理、及び同じくディジタル圧縮された音声信号に対する伸張処理を行う。該伸張処理を施された後の映像信号、及び音声信号は、信号処理回路１５から映像・音声信号処理回路１７に出力される。
【００４８】
映像・音声信号処理回路１７は、信号処理回路１５から出力される上記映像信号、及び音声信号を入力し、上記映像信号、及び音声信号に所定の信号処理を施した後、映像信号についてはモニタ（図示しない）に、音声信号については、スピーカ（図示しない）に、夫々出力する。
【００４９】
CPU１９は、ユーザが視聴を所望するチャネルの周波数に係わる情報を、例えば、ユーザの操作により所定の指令信号を送信するリモコン（即ち、リモートコントローラ）等の無線送信機器（図示しない）、及び上記ディジタル放送受信装置１００に設けられた無線受信部（図示しない）を介して入力する。上記指令信号を読込むと、CPU１９は、制御バス２１を通じて第１復調回路７に対し、制御バス２１によるCPU１９と第１選局回路５との間の接続をオンにすべく、指令信号を出力する。CPU１９は、制御バス２１を通じた第１選局回路５との間の接続が確立すると、第１選局回路５がユーザ所望のチャネル（の放送波）を選局するよう、上記指令信号に係わる選局情報を、制御バス２１を通じて出力する。
【００５０】
CPU１９は、第１の受信系統において選局されたチャネルに、放送信号が含まれているか否かの判断の基になる情報を、（第１復調回路７の）第１チャネル有／無情報生成回路２５から制御バス２１を通じて入力し、所定の処理動作を実行する。CPU１９は、また、第２の受信系統において選局されたチャネルに、放送信号が含まれているか否かの判断の基になる情報を、（第２復調回路１１の）第２チャネル有／無情報生成回路２７から入力し、所定の処理動作を実行する。
【００５１】
ところで、上述したダイバーシティ合成回路１３により、第１の受信系統から出力される信号、及び第２の受信系統から出力される信号に対し、最大比合成等のダイバーシティ合成処理を行う場合には、第１の受信系統が受信するチャネル（の周波数）と第２の受信系統が受信するチャネル（の周波数）とを、同一にする必要がある。そのため、第１選局回路５は、制御バス２１を通じてCPU１９から出力される選局指令信号により、第２選局回路９は、制御バス２３を通じてCPU１９から出力される選局指令信号により、夫々同一チャネルの放送信号を受信（選局）するよう、CPU１９により制御される。
【００５２】
上記ディジタル放送受信装置１００によるチャネルサーチ処理（即ち、該装置１００が受信可能な各々のチャネルに、放送信号（ディジタル放送信号）が含まれているかどうかを判定する処理）に際しては、ユーザに任意のチャネルを選局させることが可能である。しかし、全部で５０もあるチャネルの全てで、ディジタル放送が行われている訳ではないため、予めどのチャネルで放送が行われているかを把握しておけば、上記ディジタル放送受信装置１００によるチャネルサーチ処理を効率的に行うことが可能になる。
【００５３】
例えば、上記ディジタル放送受信装置１００の駆動電源投入時や、ユーザのリモコン操作による上記ディジタル放送受信装置１００へのコマンド入力時等に、どのチャネルで放送（即ち、ディジタル放送）が行われているかチャネルサーチ処理を行うと共に、上記ディジタル放送受信装置１００内のメモリ（図示しない）に、チャネルリストを作成しておき、上記チャネルサーチ処理の結果を、該チャネルリストに格納しておくことが想到され得る。また、上記ディジタル放送受信装置１００が、国内の各地域毎に割り当てられているチャネルに係わる情報を、予め備えており、且つ、車載用ディジタル放送受信装置のように、GPS受信機能をも併せて備えている場合等には、上記チャネルに係わる情報と、GPS等により取得した該受信装置の現在位置情報とを併せてチャネルリストを作成する手法が想到され得る。この場合、上記現在位置情報については、ユーザによる上記受信装置への入力操作に委ねることとしても良い。
【００５４】
（受信）アンテナの位置や、上記受信装置の現在位置における地形等の環境条件の影響により、受信可能な筈の放送信号が受信できなかったり、受信不能な筈の放送信号が受信できたりする場合も想到されるので、チャネルサーチ処理によって作成されたチャネルリストは、実際の受信環境を最もよく反映していると言える。既述のように、ダイバーシティ合成回路１３が備えるダイバーシティ合成機能を有効に利用するには、第１選局回路５、及び第２選局回路９が、同一チャネルを選局している必要がある。
【００５５】
そのため、選局されたチャネルでディジタル放送が行われているかどうかをチェックするチャネルサーチ処理を行う構成は、第１復調回路７、又は第２復調回路１１か、或いはダイバーシティ合成回路１３の後段に設けるのが妥当であろうと思料される。しかし、上記構成を、第１復調回路７、又は第２復調回路１１、或いはダイバーシティ合成回路１３の後段の何れかに設けることとすると、上記構成によって、UHFの第１３チャネルから第６２チャネルまでの合計５０チャネルの全てについて、１チャネルずつ放送信号の有無をサーチしていくこととなるので、チャネルサーチ処理に、相当の長時間を要することになってしまう。
【００５６】
そこで、本発明の一実施形態に係るディジタル放送受信装置１００では、上述したチャネルサーチ処理を行う構成として、第１復調回路７に、第１チャネル有／無情報生成回路２５を、第２復調回路１１に、第２チャネル有／無情報生成回路２７を、夫々備えることとした。即ち、第１復調回路７に、第１チャネル有／無情報生成回路２５を、第２復調回路１１に、第２チャネル有／無情報生成回路２７を、夫々備える点が、本発明の一実施形態に係るディジタル放送受信装置１００の主要な特徴点である。
【００５７】
例えば、上記第１復調回路７が、PSK（Phase Shift Keying）の復調器と、FFT（Fast Fourier Transform）の演算器等と、を備えたOFDM信号を復調するディジタル復調回路である場合には、第１チャネル有／無情報生成回路２５は、以下のような処理動作を行う。即ち、第１チャネル有／無情報生成回路２５は、上記第１復調回路７により復調されたOFDM信号の自己相関性が所定の基準値を超えているかどうかチェックすることにより、上記第１復調回路７においてディジタル復調の動作が成立したかどうか判定するための情報を生成することになる。
【００５８】
また、第１チャネル有／無情報生成回路２５は、TMCC（Transmission and Multiplexing Configuration Control）信号、即ち、ディジタル放送信号に含まれる制御信号であって、誤り訂正の符号化率等に関する情報をディジタル放送受信装置に伝送するための制御信号の同期が取れているかどうかチェックする手法も想到し得る。即ち、該チェックの結果、予め決められた期間内に同期が取れていることが確認できれば、第１チャネル有／無情報生成回路２５は、サーチ対象であるチャネルに放送信号が含まれていることを示す情報を、上記期間内に同期が取れていることが確認できなければ、該チャネルに放送信号が含まれていないことを示す情報を、夫々生成することになる。
【００５９】
また、第１チャネル有／無情報生成回路２５は、第１選局回路５が選局動作を開始してから所定時間が経過するまでの間に、第１復調回路７が復調動作を行っていることが検知できれば、サーチ対象であるチャネルに放送信号が含まれていることを示す情報を生成する。しかし、所定時間が経過するまでの間に、復調動作を行っていることが検知できなければ、サーチ対象であるチャネルに放送信号が含まれていないことを示す情報を生成することになる。
【００６０】
また、第１チャネル有／無情報生成回路２５は、上述したAGC回路（図示しない）からの出力電力が、予め設定された閾値（基準値）を超えているかどうかチェックし、該チェックの結果、上記出力電力の値が上記閾値を超えていれば、サーチ対象であるチャネルに放送信号が含まれていることを示す情報を生成する。しかし、上記出力電力の値が上記閾値を下廻っていれば、サーチ対象であるチャネルに放送信号が含まれていないことを示す情報を生成することになる。
【００６１】
更に、第１チャネル有／無情報生成回路２５は、上述した種々の手法の組み合わせにより、サーチ対象であるチャネルに放送信号が含まれていることを示す情報、又は該チャネルに放送信号が含まれていないことを示す情報を生成することも可能である。
【００６２】
第２チャネル有／無情報生成回路２７についても、上述した第１チャネル有／無情報生成回路２５におけると略同様の処理動作を行う。
【００６３】
第１チャネル有／無情報生成回路２５、及び第２チャネル有／無情報生成回路２７による上述したチャネルサーチ処理のための手法については、上述した内容のみに限定されるものでないのは、勿論である。
【００６４】
上記第１チャネル有／無情報生成回路２５、及び第２チャネル有／無情報生成回路２７等を用いてチャネルサーチ処理を行うに際しては、ダイバーシティ合成回路１３による上述したダイバーシティ合成処理機能を停止状態にすると共に、第１選局回路５が選局するチャネルと、第２選局回路９が選局するチャネルとが、異なるチャネルになるよう設定する必要がある。これにより、第１復調回路７、即ち、第１チャネル有／無情報生成回路２５と、第２復調回路１１、即ち、第２チャネル有／無情報生成回路２７とにおいて、夫々異なるチャネルにつき放送信号が含まれているかどうかをチェックするチャネルサーチ処理が可能になる。
【００６５】
第１選局回路５で選局されたチャネルについて、放送信号が含まれているかどうか判定する根拠になる情報が、第１チャネル有／無情報生成回路２５から制御バス２１を通じてCPU１９に送信され、第２選局回路９で選局されたチャネルについて、放送信号が含まれているかどうか判定する根拠になる情報が、第２チャネル有／無情報生成回路２７から制御バス２３を通じてCPU１９に送信される。CPU１９では、第１チャネル有／無情報生成回路２５からの上記情報と、第１選局回路５における選局状態とが照合されることにより、第１選局回路５において現在選局中のチャネルにおける放送信号の有／無が判定され、該判定結果が上述したチャネルリストに記録される。同様に、第２チャネル有／無情報生成回路２７からの上記情報と、第２選局回路９における選局状態とが照合されることにより、第２選局回路９において現在選局中のチャネルにおける放送信号の有／無が判定され、該判定結果が上述したチャネルリストに記録される。
【００６６】
このようにして、全部で５０あるチャネルのうちの、どのチャネルで放送が行われているかを示すチャネルリストが完成されることになる。
【００６７】
図２は、図１に記載のディジタル放送受信装置１００において、上記ディジタル放送受信装置１００がアンテナ（即ち、第１、第２アンテナ）を介して受信可能な各々のチャネルに、放送信号（ディジタル放送信号）が含まれているかどうかを判定（ヂャネルサーチ）するに際しての、各部の処理動作の一例を示すフローチャートである。
【００６８】
図２において、まず、上記ディジタル放送受信装置１００が第１、第２アンテナ（図示しない）を介して受信可能な各々のチャネルにおいて、放送信号が含まれているかどうか判定するチャネルサーチ機能が起動する（ステップS４１）。これにより、ユーザ等がテレビを視聴可能な通常の状態では駆動しているダイバーシティ合成回路１３が、上述した最大比合成等の処理機能を停止する。それと共に、テレビ視聴が可能な通常の状態では、共に同一チャネルを選局している第１選局回路５、及び第２選局回路９の選局動作のモードが、チャネルサーチ機能が起動することにより、互いに別々のチャネルの選局が可能なように、選局動作のモードが変更される。
【００６９】
次に、第１選局回路５が選局するチャネルが、CPU１９から制御バス２１を通じて第１選局回路５に出力される、CPU１９により決定された選局チャネルに合致する制御データに基づき、例えば、UHF帯の第１３チャネルに設定される（ステップS４２）。
【００７０】
ステップS４２で、第１選局回路５が選局するチャネルがUHF帯の第１３チャネルに設定されると、CPU１９は、制御バス２１を通じて第１チャネル有／無情報生成回路２５から出力されるサーチ対象のチャネルに、放送信号が含まれているか否かを示す情報、即ち、チャネル有／無情報を読み込む。これと共に、CPU１９は、制御バス２１を通じて第１復調回路７から出力される情報、例えば、ディジタル放送信号をも読み込む。そして、上記チャネル有／無情報、及び上記ディジタル放送信号に基づき、上記第１３チャネルに放送番組のコンテンツ情報が存在するかどうか、即ち、上記第１３チャネルにおいて、ディジタル放送が行われているかどうかがチェックされる（ステップS４３）。
【００７１】
次に、上記チェックの結果、即ち、上記第１３チャネルにおいてディジタル放送が行われているか否かが、上記第１３チャネルにおける判定結果として、CPU１９により例えば上記ディジタル放送受信装置１００内のメモリ（図示しない）等に格納されているチャネルリストに記録される（ステップS４４）。ステップS４３で示した処理動作が終了すると、CPU１９は、上記第１の受信系統におけるチャネルサーチ処理が終了したかどうかをチェックする（ステップS４５）。該チェックの結果、終了していないと判定すると（ステップS４５でNO）、上記第１の受信系統におけるチャネルサーチの対象チャネルを、第１３チャネルからその次のチャネルである第１４チャネルに変更する処理を行った後（ステップS４６）、第１選局回路５の状態が安定化するのを待って、ステップS４３で示した処理動作に移行する。そして、ステップS４６で変更した後のチャネルである第１４チャネルについて、ステップS４３乃至ステップS４５で示した処理動作を実行する。このようにして、チャネルサーチの対象にされた各々のチャネルについて、上述した処理動作が終了する毎に該チャネルの次のチャネルに、チャネルサーチの対象を変更し、変更後のチャネルについて更に上述した処理動作が実行される。その結果、第１の受信系統では、第１３チャネルから第３７チャネルまでの（合計２５の）各々のチャネルについて、上述したチャネルサーチに係わる処理動作が実行されることになる。
【００７２】
上記第１の受信系統におけるチャネルサーチ処理の終了の条件を、第３７チャネルに係わるチャネルサーチ処理の終了に設定することにより、第１３チャネルから第３７チャネルまでの全部についてチャネルサーチ処理が終了すれば、上記第１の受信系統における全部のチャネルについてチャネルサーチ処理が終了したと判定される（ステップS４５でYES）。よって、CPU１９は、上記終了の判定を行うことで、上記第１の受信系統でのチャネルサーチ処理の動作を終了する（ステップS４７）。
【００７３】
上述したステップS４１に続く処理動作であって、ステップS４８で示す第２の受信系統側の処理動作が、上記ステップS４２で示した第１の受信系統側の処理動作と同時並行的に実行される。即ち、第２選局回路９が選局するチャネルが、CPU１９から制御バス２３を通じて第２選局回路９に出力される、CPU１９により決定された選局チャネルに合致する制御データに基づき、例えば、UHF帯の第３８チャネルに設定される（ステップS４８）。
【００７４】
ステップS４８で、第２選局回路９が選局するチャネルがUHF帯の第３８チャネルに設定されると、CPU１９は、制御バス２３を通じて第２チャネル有／無情報生成回路２７から出力されるサーチ対象のチャネルに、放送信号が含まれているか否かを示す情報、即ち、チャネル有／無情報を読み込む。これと共に、CPU１９は、制御バス２３を通じて第２復調回路１１から出力される情報、例えば、ディジタル放送信号をも読み込む。そして、上記チャネル有／無情報、及び上記ディジタル放送信号に基づき、上記第３８チャネルに放送番組のコンテンツ情報が存在するかどうか、即ち、上記第３８チャネルにおいて、ディジタル放送が行われているかどうかがチェックされる（ステップS４９）。
【００７５】
そして、上記チェックの結果、即ち、上記第３８チャネルにおいてディジタル放送が行われているか否かが、上記第３８チャネルにおける判定結果として、CPU１９により例えば上述したメモリ（図示しない）等に格納されているチャネルリストに記録される（ステップS４４）。上記第３８チャネルにおける判定結果を、上記チャネルリストに記録する処理動作は、必ずしも、上記第１３チャネルにおける判定結果を、上記チャネルリストに記録する処理動作と同時並行的に行わなければならない訳ではない。上記第１３チャネル側での判定結果が上記３８チャネル側での判定結果よりも先に判明すれば、上記第１３チャネル側での判定結果を先に上記チャネルリストに記録することになるし、上記第３８チャネル側での判定結果が上記１３チャネル側での判定結果よりも先に判明すれば、上記第３８チャネル側での判定結果を先に上記チャネルリストに記録することになる。
【００７６】
ステップS４９で示した処理動作が終了すると、CPU１９は、上記第２の受信系統におけるチャネルサーチ処理が終了したかどうかをチェックする（ステップS５０）。該チェックの結果、終了していないと判定すると（ステップS５０でNO）、上記第２の受信系統におけるチャネルサーチの対象チャネルを、第３８チャネルからその次のチャネルである第３９チャネルに変更する処理を行った後（ステップS５１）、第２選局回路９の状態が安定化するのを待って、ステップS４９で示した処理動作に移行する。そして、ステップS５１で変更した後のチャネルである第３９チャネルについて、ステップS４８、ステップS４４、及びステップS５０で示した処理動作を実行する。このようにして、チャネルサーチの対象にされた各々のチャネルについて、上述した処理動作が終了する毎に該チャネルの次のチャネルに、チャネルサーチの対象を変更し、変更後のチャネルについて更に上述した処理動作が実行される。その結果、第２の受信系統では、第３８チャネルから第６２チャネルまでの（合計２５の）各々のチャネルについて、上述したチャネルサーチに係わる処理動作が実行されることになる。
【００７７】
上記第２の受信系統におけるチャネルサーチ処理の終了の条件を、第６２チャネルに係わるチャネルサーチ処理の終了に設定することにより、第３８チャネルから第６２チャネルまでの全部についてチャネルサーチ処理が終了すれば、上記第２の受信系統における全部のチャネルについてチャネルサーチ処理が終了したと判定される（ステップS５０でYES）。よって、CPU１９は、上記終了の判定を行うことで、上記第２の受信系統でのチャネルサーチ処理の動作を終了する（ステップS５２）。
【００７８】
以上説明したように、本発明の一実施形態によれば、第１の受信系統では、UHF帯の第１３チャネル乃至第３７チャネルにおける放送信号の有／無の判定を、第２の受信系統では、UHF帯の第３８チャネル乃至第６２チャネルにおける放送信号の有／無の判定を、夫々行うことにした。そのため、第１３チャネルから第６２チャネルまでの全５０チャネルの各々を順にチャネルサーチしていく処理動作に比較して、チャネルサーチに必要な所要時間を凡そ半減することが可能になる。
【００７９】
本発明の一実施形態では、第１の受信系統に係わる処理動作であるステップS４２からステップS４７に到る処理動作と、第２の受信系統に係わる処理動作であるステップS４８からステップS５２に到る処理動作とは、必ずしも同期して行われている訳ではない。ステップS４２からステップS４７に到る処理動作と、ステップS４８からステップS５２に到る処理動作とは、独立して行われることとしても差し支えは生じない。従って、上述した第１の受信系統におけるチャネルサーチ処理の終了の条件の成立時期と、上述した第２の受信系統におけるチャネルサーチ処理の終了の条件の成立時期とが、同時になるとは限らない。
【００８０】
また、図２で示したフローチャートでは、ステップS４４で示したチャネルサーチ処理の判定結果を上述したチャネルリスト（図示しない）に記録する処理動作の後に、第１の受信系統ではステップS４５で、割り当てられたチャネルについてチャネルサーチ処理が終了したかどうかをチェックする終了判定の処理動作を行っている。一方、第２の受信系統では、ステップS４４で示した処理動作の後に、ステップS５０で、ステップS４５におけると同様の処理動作を行っている。ステップS４４で示した処理動作は、記録処理に係わる動作であり、該処理動作は比較的短時間で行える。ステップS４５や、ステップS５０で示した処理動作は、判定処理であって、その後に続く処理動作が第１選局回路５、第２選局回路９を制御して夫々次のチャネルを選局させる処理動作である（ステップS４６、ステップS５１）が、この選局のための処理動作を行うと、第１選局回路５、第２選局回路９が安定状態になるまで或る程度の時間を要する。
【００８１】
そこで、第１の受信系統では、ステップS４５で示す処理動作を先に行ってから、ステップS４４で示す処理動作を行うようにし、第２の受信系統では、ステップS５０で示す処理動作を先に行ってから、ステップS４４で示す処理動作を行うようにすれば、第１選局回路５、第２選局回路９が安定状態になるまでの待機時間を利用して、第１、第２の受信系統におけるチャネルサーチ処理の判定結果を、夫々チャネルリストへ記録することができる。
【００８２】
また、１つのチャネルに係わる放送信号の有／無の判定に必要な時間は、常に同一とは限らず、放送信号が存在する場合と、存在しない場合とで異なるため、ディジタル放送が行なわれているチャネルがどの周波数帯域に属しているかによっても、第１の受信系統におけるチャネルサーチ処理の終了条件の成立と、第２の受信系統におけるチャネルサーチ処理の終了条件の成立とが、大きくずれることも想到され得る。実際に、地上ディジタル放送では、（ノイズ等による影響の関係で、）低い周波数帯域に属するチャネルが使用される頻度が高い傾向にある。
【００８３】
本発明の一実施形態では、第１の受信系統に対し第１３チャネルから第３７チャネルまでの２５チャネルを、第２の受信系統に対し第３８チャネルから第６２チャネルまでの２５チャネルを、夫々チャネルサーチ処理の対象として割り当てることとして説明したが、上記とは逆に、第１の受信系統に対し第３８チャネルから第６２チャネルまでの２５チャネルを割り当て、第２の受信系統に対し第１３チャネルから第３７チャネルまでの２５チャネルを割り当てるようにしても良い。
【００８４】
また、５０チャネル分あるチャネルを、前半の第１３チャネル乃至第３７チャネルと、後半の第３８チャネル乃至第６２チャネルとに分けて、夫々を第１、第２の受信系統に割り当てる方法とは別に、奇数のチャネルと偶数のチャネルとに分けて、夫々を第１、第２の受信系統に割り当てる方法を採用することも可能である。また、第１の受信系統に割り当てるチャネル数と、第２の受信系統に割り当てるチャネル数とを、必ずしも同数とはしなくても、第１の受信系統、又は第２の受信系統の何れか一方だけの受信系統で（或いは、第１、第２の受信系統の双方で）第１３チャネルから第６２チャネルまでの全５０のチャネルを１つずつ順にサーチして、放送信号の有／無を判定していく処理動作に比較すれば、チャネルサーチに必要な所要時間を短縮する効果を得ることは可能である。
【００８５】
また、国内の各地域毎に割り当てられているチャネルに係わる情報が、予め上記ディジタル放送受信装置１００に備えられている場合には、ユーザのリモコン（リモートコントローラ）操作等に起因して、上記ディジタル放送受信装置１００の現在位置（設置位置）に係わる情報が判明していれば、上述した第１、第２の受信系統が夫々チャネルサーチ処理を行うチャネルを、第１、第２の受信系統に割り当てる方法として、第１の受信系統においてチャネルサーチ処理を行うチャネルと、第２の受信系統においてチャネルサーチ処理を行うチャネルと、を適宜に割り当てる方法を採用することも想到され得る。
【００８６】
また、本発明の一実施形態では、第１チャネル有／無情報生成回路２５と、第２チャネル有／無情報生成回路２７と、が同一の機能を有するものとして説明した。しかし、上記チェック動作については高速に行うことができるが誤判定を生じることが多い判定方法を、第１チャネル有／無情報生成回路２５に、上記チェック動作については或る程度の時間を要するものの、誤判定を生じることが少ない判定方法を、第２チャネル有／無情報生成回路２７に、夫々適用する手法も想到され得る。第１の受信系統と第２の受信系統とで、異なるチャネルにつき放送信号の有／無判定ができるのであれば、該手法を採用することで、第１の受信系統において全５０チャネルにつき粗判定を行うことにより、放送信号が含まれている可能性のあるチャネルを絞り込むと共に、該絞り込みを行った後の各チャネルについて、第２の受信系統で適宜詳細なチャネルサーチ処理を行うことも可能である。
【００８７】
また、チャネルリストについても、上記第１、第２の受信系統別に備えるようにしても良い。
【００８８】
また、本発明の一実施形態では、第１選局回路５とCPU１９とを接続する制御バス２１に第１復調回路７を、第２選局回路９とCPU１９とを接続する制御バス２３に第２復調回路１１を、夫々設けて、第１復調回路７、及び第２復調回路１１を夫々オン／オフ動作させるようにした。そのため、第１選局回路５、第２選局回路９による選局動作に際してのCPU１９の制御動作が複雑化するのを避けることはできない。しかし、制御バス２１、２３に起因するノイズの、第１選局回路５、第２選局回路９への影響を考慮する必要がなければ、制御バス２１を通じて第１選局回路５とCPU１９との間を、制御バス２３を通じて第２選局回路９とCPU１９との間を、夫々直結することにより、上記選局動作時におけるCPU１９の制御動作が複雑化するのを回避することが可能になる。
【００８９】
上述した本発明の一実施形態は、受信系統を２系統備え、且つ、ダイバーシティ機能をも備えた構成のディジタル放送受信装置（１００）に係るものであった。しかし、受信系統を３系統以上備え、且つ、ダイバーシティ機能をも備えた構成のディジタル放送受信装置においても、上述した本発明の一実施形態におけると略同様の効果を奏し得る。
【００９０】
例えば、受信系統を４系統備え、且つ、ダイバーシティ機能をも備えた構成のディジタル放送受信装置において、各々の受信系統で異なるチャネルの放送信号の有無が判定できるのであれば、１つの受信系統だけで５０チャネル全部にチャネルサーチ処理を行う場合に比べて、チャネルサーチ処理に要する時間を、凡そ１／４に短縮することが可能になる。この場合も、チャネルサーチ処理の対象になるチャネルを、各々の受信系統別に割り当てるための手法として、上述した本発明の一実施形態で述べたような、様々な分割方法が想到され得る。
【００９１】
上記のような、受信系統を４系統備え、且つ、ダイバーシティ機能をも備えた構成のディジタル放送受信装置においては、対になる受信系統同士の間では、同一チャネルの放送信号を受信することで、１つの受信系統だけでサーチ対象のチャネルにおける放送信号の有無を判定する場合に比較して、放送信号の受信性能の向上が期待できる。何故なら、実際には放送が行われているにも拘らず、受信環境の劣化等に起因して、１つの受信系統では放送信号が無いと判定されていたチャネルについても、上記のようにダイバーシティ合成処理を行うことで、サーチ対象のチャネルにおける放送信号の存否の検出精度の向上が期待できるからである。勿論、各対毎に、サーチ対象とするチャネルを割り当てれば、上述した本発明の一実施形態におけると同様に、チャネルサーチ処理に要する時間の短縮を図ることができる。
【００９２】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【００９３】
【図１】本発明の一実施形態に係るディジタル放送受信装置の全体構成を示す機能ブロック図。
【図２】図１に記載したディジタル放送受信装置において、上記ディジタル放送受信装置がアンテナを介して受信可能な各々のチャネルに、放送信号が含まれているかどうかを判定するに際しての、各部の処理動作の一例を示すフローチャート。
【符号の説明】
【００９４】
１  第１高周波信号入力端子
３  第２高周波信号入力端子
５  第１選局回路
７  第１復調回路
９  第２選局回路
１１  第２復調回路
１３  ダイバーシティ合成回路
１５  信号処理回路
１７  映像・音声信号処理回路
１９  CPU
２１、２３  制御バス
２５  第１チャネル有／無情報生成回路
２７  第２チャネル有／無情報生成回路
１００  ディジタル放送受信装置
【図１】
2009021689.tif 000003
【図２】
2009021689.tif 000004